(57)【特許請求の範囲】
【請求項１】
ユーザ間での通信の目的とされる主情報の送信データをＨＳＤＰＡに準拠した通信方式で該当する一の基地局から下りデータチャンネルを通して受信すると共に通信の状態を維持するための関連する事象を表す第１の副情報を前記一の基地局を含む複数の基地局から副情報下りチャンネルを通して受信可能に構成され、且つ、通信の状態を維持するための関連する事象を表す第２の副情報を前記一の基地局を含む複数の基地局に対して副情報上りチャンネルを通して送信可能に構成された移動局であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するためのフィードバック情
報を含む前記第２の副情報を生成して当該基地局側に送信する閉ループ型送信ダイバーシ
チが適用される状況下にあるか否かを判別する通信方法判別部と、
複数の基地局との間で前記副情報下りチャンネルおよび前記副情報上りチャンネルが接
続された状態にあるか否かを判別する通信基地局判別部と、
前記通信方法判別部によって前記閉ループ型送信ダイバーシチが適用される状況下にあ
ると判別されており、且つ、前記通信基地局判別部によって複数の基地局との間で前記副
情報下りチャンネルおよび前記副情報上りチャンネルが接続された状態にあると判別され
ているときには、前記ユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、
を含むが接続されている当該基地局からの前記第１
の副情報にのみ依拠して前記副情報上りチャンネルの送信電力を制御する送信電力制御部
と、を備えていることを特徴とする移動局。
【請求項２】
ユーザ間での通信の目的とされる主情報を該当する一の基地局から主情報下りチャンネルを通して受信すると共に通信の状態を維持するための関連する事象を表す情報としての送信電力制御情報を含む第１の副情報を前記一の基地局を含む複数の基地局から下り制御チャンネルを通して受信可能に構成され、且つ、通信の状態を維持するための関連する事象を表す第２の副情報を前記一の基地局を含む複数の基地局に対して副情報上りチャンネルを通して送信可能に構成された移動局であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するためのフィードバック情
報を含む前記第２の副情報を生成して当該基地局側に送信する閉ループ型送信ダイバーシ
チが適用される状況下にあるか否かを判別する通信方法判別部と、
複数の基地局との間で前記下り制御チャンネルおよび前記副情報上りチャンネルが接
続された状態にあるか否かを判別する通信基地局判別部と、
前記通信方法判別部によって前記閉ループ型送信ダイバーシチが適用される状況下にあ
ると判別されており、且つ、前記通信基地局判別部によって複数の基地局との間で前記下り制御チャンネルおよび前記副情報上りチャンネルが接続された状態にあると判別され
ているときには、前記主情報下りチャンネルが接続されている当該基地局からの前記第１
の副情報にのみ依拠して前記副情報上りチャンネルの送信電力を制御する送信電力制御部
と、
を備えていることを特徴とする移動局。
【請求項３】
ユーザ間での通信の目的とされる主情報を該当する一の基地局から主情報下りチャンネル
を通して受信すると共に通信の状態を維持するための関連する事象を表す第１の副情報を
前記一の基地局を含む複数の基地局から副情報下りチャンネルを通して受信可能に構成さ
れ、且つ、通信の状態を維持するための関連する事象を表す情報としての主情報の位相補正情報を含む第２の副情報を前記一の基地局を含む複数の基地局に対して上り制御チャンネルを通して送信可能に構成された移動局であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するためのフィードバック情
報を含む前記第２の副情報を生成して当該基地局側に送信する閉ループ型送信ダイバーシ
チが適用される状況下にあるか否かを判別する通信方法判別部と、
複数の基地局との間で前記副情報下りチャンネルおよび前記上り制御チャンネルが接
続された状態にあるか否かを判別する通信基地局判別部と、
前記通信方法判別部によって前記閉ループ型送信ダイバーシチが適用される状況下にあ
ると判別されており、且つ、前記通信基地局判別部によって複数の基地局との間で前記副
情報下りチャンネルおよび前記上り制御チャンネルが接続された状態にあると判別され
ているときには、前記主情報下りチャンネルが接続されている当該基地局からの前記第１
の副情報にのみ依拠して前記副情報上りチャンネルの送信電力を制御する送信電力制御部
と、
を備えていることを特徴とする移動局。
【請求項４】
ユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、を含む移動局における送信電力制御方法。
【発明の詳細な説明】
【技術分野】
【０００１】
本発明は、移動局、および、移動局における送信電力制御方法に関する。
【背景技術】
【０００２】
近年、インターネットの急速な普及、情報通信の多元化、大容量化、更には次世代インターネットの発展に向かう趨勢にあって、移動体通信における高速無線伝送を実現する次世代無線アクセス方式の研究開発が盛んに行われている。
このような高速無線通信では同一の無線環境でより高能率の通信を実現するためのダイバーシチ技術の開発は一つの鍵となっている。
特に基地局側の複数のアンテナから送信した信号を、受信端末（移動局）で受信し合成する送信ダイバーシチ技術は３ＧＰＰ(3rd Generation Partnership Project)における標準化でマンダトリに規定されている。
【０００３】
特に移動局において基地局から送信された信号の位相を判定し、基地局に位相回転情報をフィードバックするクローズド型送信ダイバーシチはそのダイバーシチゲインの高さから現在の第３世代通信で幅広く用いられている。
また、次世代高速通信伝送では、受信端末の受信環境に応じてスループットが変動する適応変復調・誤り訂正符号化 （ＡＭＣ: Adaptive Modulation and channel Coding）、パケットの再送・合成を行うハイブリッドＡＲＱ（Automatic Repeat Request） が適用されるため、多数のセルと同時に接続を行う従来のＷ−ＣＤＭＡ技術と異なり、最も受信環境の良いセルとのみ通信を行う方式が採用される。
【０００４】
図６および図７は送信ダイバーシチを採用する場合の位相の状態について説明するための概念図である。図６は、移動局からのフィードバック情報を用いない開ループ型送信ダイバーシチを表し、図７は移動局から送信されるフィードバック情報に基づいて送信信号の位相等を制御する閉ループ型送信ダイバーシチを表している。これら双方のモードは３ＧＰＰにおいて標準化されているＷ−ＣＤＭＡシステムで採用されている。
図６において、同じ信号ＴＳを基地局の２つのアンテナ（不図示）から信号ＴＳ１およびＴＳ２として送信すると、これらは伝搬路である無線空間を経て信号ＲＳ１および信号ＲＳ２として移動局（不図示）に到達する。
【０００５】
これらの信号ＲＳ１および信号ＲＳ２を移動局で合成することにより、合成ゲインを得
ることが可能となるが、無線伝搬路で信号の位相が回転することにより、合成ゲインが得
られない場合が生じる。
即ち、図６の場合では、信号ＴＳ１については位相が回転することなく信号ＲＳ１とし
て移動局のアンテナに達する一方、信号ＴＳ２については位相が＋９０度回転した信号ＲＳ２として移動局のアンテナに達する。
従って、これら信号ＲＳ１および信号ＲＳ２を合成した場合、合成ゲインに偏りが生じ、所期のゲイン（理想的には、２倍）が得られないことになる。
【０００６】
これに対し、図７の閉ループ型送信ダイバーシチでは、移動局において送信アンテナ毎に区分して無線伝搬路での位相の回転量を割り出し、この結果に基づいて、予めアンテナ毎に位相をずらした信号を送信するように要求するフィードバック情報を移動局から基地局に送信する。
即ち、閉ループ型送信ダイバーシチでは、２つのアンテナから信号ＴＳ１およびＴＳ２が無線空間を伝搬路すると図６を参照して既述のように信号ＴＳ２について位相が＋９０度回転した信号ＲＳ２として移動局のアンテナに達するところ、信号ＴＳ２をＴＳ１に対し予め−９０度回転した信号ＲＳ２として送信することによって、移動局に到達する信号ＲＳ１および信号ＲＳ２の位相を合わせ、所期のゲインを得るようにしている。
【０００７】
尚、３ＧＰＰにおいては、開ループ型送信ダイバーシチにはＳＴＴＤ(Space Time block coding based Transmit Diversity)およびＴＳＴＤ(Time Switched Transmit Diversity)があり、閉ループ型送信ダイバーシチには位相のみを制御するモード１と位相および振幅の双方を制御するモード２とが規定されている。
本発明は、後に詳述するように、閉ループ型送信ダイバーシチを適用した場合の課題に係るものであるが、上述のモード１であるかモード２であるかを問わないものであり、以下の説明では敢えてこれらのモードを区別していない。
【０００８】
図８は、従来の個別チャンネルを用いた通信の様子を表す概念図である。複数（図８では説明の便宜上２基）の基地局２１０および２２０と一の移動局１００とが、上り制御チャンネル１１、１２、および、下り制御チャンネル２１、２２、ならびに下りデータチャンネル３１、３２によって結ばれている。
下りデータチャンネル３１におけるデータの転送に係るタイミングやレート等が上り制御チャンネル１１および下り制御チャンネル２１の制御信号によって調整され、同様に、下りデータチャンネル３２におけるデータの転送に係るタイミングやレート等が上り制御チャンネル１２および下り制御チャンネル２２の制御信号によって調整される。
【０００９】
図９は、３ＧＰＰで提案されているＨＳＤＰＡにおけるように共通チャンネルを用いてデータの転送を行なう通信の様子を表す概念図である。
ＨＳＤＰＡ（High Speed Downlink Packt Access）では、基地局２１０、２２０から移動局１００への情報（データ）の伝送に用いる下りチャンネルとして高速下り共用チャネル３１（ＨＳ−ＰＤＳＣＨ：High-Speed  Physical  Downlink  Shared  Channel）が使用される。
【００１０】
即ち、ＨＳ−ＰＤＳＣＨは、各基地局２１０、２２０から複数の移動局１００（図９では、説明の便宜上１基のみ図示）へのデータ送信に用いられる。
基地局２１０、２２０は複数の移動局１００の各々に対するデータ送信を行うスケジュールを決定して、移動局１００毎にタイミングを異にするようにしてデータを転送する。
ＨＳＤＰＡでは、各基地局２１０、２２０は、複数の移動局１００の各々との間に、個別チャンネルであるＤＰＣＨ（Dedicated  Physical  Channel）を設定する。
【００１１】
ＤＰＣＨは、その下りチャンネル２１，２２により基地局２１０、２２０から移動局１００へ制御情報を送信すると共に、上りチャンネル１１、１２により移動局１００から基地局２１０、２２０へ制御信号を送信する。
以上のとおり、ＨＳＤＰＡでは、データの転送ついては、高速下り共用チャネル３１を用いて一つの基地局２１０から送信され、他方、制御信号については、複数の基地局２１０、２２０とＤＰＣＨ（その下りチャンネル２１，２２、および、上りチャンネル１１，１２）を用いて授受される。
【００１２】
次に、３ＧＰＰで規定されているハンドオーバ方式としてのソフトハンドオーバおよびハードハンドオーバについて説明する。
ソフトハンドオーバは、移動局１００が複数の基地局２１０、２２０と同時にチャネルを設定するハンドオーバ方式である。このソフトハンドオーバ方式は図８におけるＤＰＣＨの設定について適用される。
各基地局２１０、２２０は、所定の電力で共通パイロット信号を送信しており、移動局１００は、共通パイロット信号の受信電力が最大の基地局（例えば基地局２１０）とＤＰＣＨを設定するが、共通パイロット信号の受信電力が相対的に小さい別の基地局（例えば基地局２２０）についても受信電力の差が小さい場合には、該別の基地局ともＤＰＣＨを設定する。
【００１３】
即ち、同時に複数の基地局２１０および２２０とＤＰＣＨを設定し、移動局１００が現在通信しているセル（データの転送を行なっている基地局２１０）との通信を継続させたまま、別のセル（基地局２２０）との通信が開始可能である。
これに対し、データの転送に係る高速下り共用チャネル３１については、ハードハンドオーバ方式が適用される。
ハードハンドオーバは、移動に伴って接続する基地局を切り替えていくハンドオーバである。従って、ハードハンドオーバの際には、一旦現在の通信を切断し、その後新たに別のセルと通信を開始する。
【００１４】
次に、上述のソフトハンドオーバが適用されて同時に接続された状態にある各基地局２１０、２２０からの制御信号に基づく移動局１００における送信電力制御（ＨＳＤＰＡにおける高速閉ループ型の送信電力制御）について説明する。
図１０は、ＨＳＤＰＡにおける高速閉ループ型の送信電力制御の様子を表す概念図である。
図１０（ａ）は、複数の基地局２１０および２２０と移動局１００との間でソフトハンドオーバによるＤＰＣＨが設定され、且つ、そのうちの一の基地局２１０と移動局１００との間でハードハンドオーバによる高速下り共用チャネルが設定されている様子を表す図である。
【００１５】
また、図１０（ｂ）は、ＤＰＣＨの下りチャンネルを通して基地局２１０および２２０から移動局１００に供給される制御信号と移動局１００における送信電力の調整の様子を表す図である。
ＤＰＣＨの上りチャンネルの送信電力制御では、基地局２１０および２２０は上り信号に含まれる個別パイロット信号を用いて、その受信ＳＩＲ（Signal to Interference Ratio）を測定し、その測定値と所定の目標ＳＩＲとを比較する。
【００１６】
その測定値が目標ＳＩＲより小さい場合には、電力増加を指示するＴＰＣ（Transmit Power Control）ビットを、それ以外の場合は電力減少を指示するＴＰＣビットを、ＤＰＣＨの下りチャンネル（２１、２２）を通して移動局１００に通知する。
移動局１００は、そのＴＰＣビットを受信し、該受信されたＴＰＣビットに応じて、ＤＰＣＨの上りチャンネル（１１、１２）の送信電力を増減する。
上りチャンネルの送信電力制御はソフトハンドオーバにより複数の基地局２１０および２２０から供給されるＴＰＣビットに依拠して行なわれる。
このときのＴＰＣビットの各値と移動局１００における送信電力制御の増減が図１０（ｂ）に示すように実行される。
【００１７】
即ち、基地局２１０からＤＰＣＨの下りチャンネル２１により移動局１００に送られるＴＰＣビットがＤＰＣＨの上りチャンネル１１の送信電力増加を指示するものであり（図中ｕｐと表記）、且つ、基地局２２０からＤＰＣＨの下りチャンネル２２により移動局１００に送られるＴＰＣビットもＤＰＣＨの上りチャンネル１２の送信電力増加を指示するものであるとき、即ち、基地局２１０および２２０からのＴＰＣビットが何れも「ｕｐ」を指示するものであるときには、移動局１００はＤＰＣＨの上りチャンネル１１および１２の送信電力を増加（図中、左端側に、移動局１００の送信電力についてｕｐと表記）させる。
【００１８】
上記とは反対に、基地局２１０および２２０からのＴＰＣビットが何れも送信電力の減少を指示するものであるときには（図中ｄｏｗｎと表記）、移動局１００はＤＰＣＨの上りチャンネル１１および１２の送信電力を減少させる（図中、右端側に、移動局１００の送信電力についてｄｏｗｎと表記）。
これらに対し、基地局２１０および２２０からのＴＰＣビットの何れか一方が送信電力の減少を指示するものであるときには（図中、何れかのＴＰＣビットについてｄｏｗｎと表記）、移動局１００はＤＰＣＨの上りチャンネル１１および１２の送信電力を減少させる（ｄｏｗｎ）。
【００１９】
上述したところより容易に理解されるとおり、移動局１００は、複数の基地局からそれぞれＴＰＣビットを受信し、少なくとも１つのＴＰＣビットが送信電力減少を指示するものであるときには、ＤＰＣＨの送信電力を減少させ、それ以外の場合（即ち、全てのＴＰＣビットが電力増加を指示するものであるとき）には、ＤＰＣＨの上り送信電力を増加させる。
【００２０】
以上のような送信電力制御を行うことにより、１つの基地局において、上りチャンネルの受信品質が目標ＳＩＲを満足すると同時に、全ての基地局において、上りチャンネルの受信品質が目標ＳＩＲを超えることを防止し、上りチャンネルの干渉波電力が増加しないようにしている。
一方、ＤＰＣＨの下りチャンネル（２１、２２）の送信電力制御では、移動局１００は下りチャンネル（２１、２２）に含まれる個別パイロット信号を用いて、その受信ＳＩＲを測定し、その測定値と所定の目標ＳＩＲを比較する。
【００２１】
この比較において測定値が目標ＳＩＲより小さいと判断される場合には、電力増加を指示するＴＰＣビットを、それ以外の場合は電力減少を指示するＴＰＣビットを、ＤＰＣＨの上りチャンネルを通して基地局２１０および２２０に送信する。
基地局２１０および２２０は、ＤＰＣＨの上りチャンネルを通して送られる上述のようなＴＰＣビットの値に応じて、ＤＰＣＨの下りチャンネル（２１、２２）の送信電力を増減する。
【００２２】
茲に、上りチャンネルのＤＰＣＨは、ＤＰＣＣＨ（Dedicated  Physical Control  Channel）とＤＰＤＣＨ（Dedicated Physical Data Channel）とから構成されており、ＤＰＣＣＨは個別パイロットチャネル（Pilot）と、送信電力の増減を指示するＴＰＣビットと、送信ダイバーシチにおける位相調整のためのフィードバック情報であるＦＢＩ（Feed  Back  Information）とを含んでいる。
また、ＤＰＤＣＨは、ユーザ情報や制御情報を含むデータであり。このＤＰＣＣＨとＤＰＤＣＨとは互いに直交変調されて多重化されて送信される。
【００２３】
以上、図１０（ａ）および  図１０（ｂ）を参照して説明したように、通信を行なう当事者（ユーザ）間での通信の本来の目的たるデータ（即ち、主情報）については高速下り共用チャネルによって、該当する一の基地局２１０と一の移動局１００との間でハードハンドオーバによる主情報下りチャンネルが結ばれ、一方、既述の制御信号のような副情報については、下りおよび上りの各副情報チャンネル（ＤＰＣＨ）がソフトハンドオーバで結ばれる。
【００２４】
図１０（ｂ）を参照して説明したように、移動局１００における送信電力制御は、高速下り共用チャネルが結ばれているメインブランチである基地局２１０からのＴＰＣビットが送信電力の増加を指示するものであっても（同図中、基地局２１０からのＴＰＣビットについてｕｐと表記）、高速下り共用チャネルが結ばれていないサブブランチである基地局２２０からのＴＰＣビットが送信電力の減少を指示するものであるときには（同図中、基地局２２０からのＴＰＣビットについてｄｏｗｎと表記）、サブブランチからのＴＰＣビット（ｄｏｗｎ）に優先的に従ってＤＰＣＨの上りチャンネル１１および１２の送信電力を減少させることになる（ｄｏｗｎ）。
【００２５】
この場合には、高速下り共用チャネルが結ばれているデータ信号送信基地局（メインブランチ）２１０と移動局１００との通信については、基地局２１０側はＦＢＩ（送信電力制御に係るフィードバック信号）を含むＤＰＣＨの上りチャンネル１１の送信電力を上げる要求を出しているにも関わらず、メインブランチではないサブブランチの基地局２２０からのＴＰＣビットに従ってＤＰＣＨの上りチャンネルの送信電力を下げる方向に調節動作が行なわれてしまうといったアンバランスが生じてしまう。
【００２６】
上述のようなアンバランスが生じると、メインブランチである基地局２１０へのＦＢＩについては所要の送信電力に満たない状態で送信が行なわれるためにエラーが生じ易くなり（ビット誤り率が増加し）、このようなＦＢＩに依拠する送信ダイバーシチの位相制御は不調を来たし、結果的に高速下り共用チャネルを通して伝送される主情報たるデータの送信に係るスループットの低下を招来することになる。
【００２７】
図１１は、フィードバック情報（ＦＢＩ）に誤りがある状況下での送信ダイバーシチの様子を表す概念図である。
図１１においても、図６および図７に表された送信ダイバーシチにおけると同様に、２つのアンテナ（不図示）から信号ＴＳ１およびＴＳ２として送信された既知の信号が伝搬路である無線空間を経て信号ＲＳ１および信号ＲＳ２として移動局（不図示）に到達し、これら信号ＲＳ１および信号ＲＳ２が移動局で合成され（本来は）所期の合成ゲインを得ることになる。
【００２８】
既述のように、閉ループ型送信ダイバーシチでは、移動局において送信アンテナ毎に区
分して無線伝搬路での位相の回転量を割り出し、この結果に基づいて、予めアンテナ毎に
位相をずらした信号としてＴＳ１およびＴＳ２を送信するように要求するフィードバック
情報を移動局から基地局に送信する。
ところが、上述におけるような送信電力の制御に係るアンバランスが生じていると、フ
ィードバック情報自体が誤ったものとなって基地局に伝えられるため、このフィードバッ
ク情報を受けた基地局側では、誤ったフィードバック情報に応じてＴＳ１に対するＴＳ２の位相差を誤って設定してしまうことになる。
【００２９】
従って、このように不適切な位相差を持つ信号ＴＳ１およびＴＳ２が無線空間を伝搬して信号ＲＳ１および信号ＲＳ２として移動局に到達するため、移動局に到達するこれらの信号ＲＳ１および信号ＲＳ２の位相は整合せず合成ゲインに偏りが生じてしまう。
閉ループ型送信ダイバーシチが図１１を参照して説明したような状況にあるときには、既述のように、結果的に高速下り共用チャネルを通して伝送される主情報たるデータの送信に係るスループットが低下してしまうといった問題を惹起することになる。
【００３０】
このような問題を解決するためには、ＤＰＣＨの上りチャンネルの送信電力を増大させることによってフィードバック情報の伝送におけるエラーの発生を低減させればよい。
しかしながら、ＤＰＣＨの上りチャンネルの送信電力を無条件で増大させてしまうとＤＰＣＨの上りチャンネルの送信電力が必要以上に大きくなり、移動局の消費電力が増えると共に、上りチャンネルの干渉波電力が増加してしまうといった新たな問題を惹起してしまうことになる。
【００３１】
このような問題に対処しつつＤＰＣＨの上りチャンネルの送信電力を制御することによってフィードバック情報の伝送におけるエラーの発生を低減させようとする技術が既に提案されている（特許文献１、特許文献２等参照）。
特許文献１および特許文献２には、パケット送信基地局からの下り個別チャネルに含まれる送信電力制御情報のみに基づいて上り個別チャネルの送信電力制御を行なうといった技術が開示されている。
【００３２】
特許文献１および特許文献２に開示の技術は、換言すれば、メインブランチからの主情報のデータを受けるときには、このメインブランチからの下り制御チャンネルによるＴＰＣビットにのみ従い、サブブランチの基地局からのＴＰＣビットには影響されることなく、送信電力制御を行なおうとするものである。
【特許文献１】特開２００４−８０２３５号公報（段落００２１〜段落００２５等）
【特許文献２】特開２００４−７０３０号公報（段落００２１〜段落００２７、段落００２１〜段落００２８等）
【発明の開示】
【発明が解決しようとする課題】
【００３３】
一方、昨今では、通信の品質を高水準に維持するために、種々の場所に基地局が設置されるようになっている。このため、屋内や駅の構内など設置のスペースが必ずしも十分確保され得ないような場所にも基地局が敢えて備えられるといったことも稀ではない。
このような極めて限定されたスペースに設置される基地局にあっては、必ずしも複数のアンテナを備えて送信ダイバーシチを行なうような比較的大型のタイプのものを採用することは許容されず、このため閉ループ型送信ダイバーシチは適用されない。
【００３４】
しかしながら、このような現実的な状況において、特許文献１および特許文献２に開示のような技術を単純に適用すると仮定した場合、メインブランチからの主情報のデータを受けるときには、一律に、このメインブランチからの下り制御チャンネルによるＴＰＣビットにのみ従って送信電力制御を行なうことになる。
ところが、上述のような閉ループ型送信ダイバーシチが行なわれない状況下では、原理上、元々フィードバック情報に依拠して送信ダイバーシチにおける位相の調整が行なわれるといったことがないため、フィードバック情報自体の誤りを抑制するといったようなこととは本来的に無縁の状態にある。
【００３５】
このような状態にあっても、メインブランチからの主情報のデータを受けるときに一律にこのメインブランチからの下り制御チャンネルによるＴＰＣビットにのみ従って上り制御チャンネルの送信電力制御を行なうことにすると、この下り制御チャンネルによるＴＰＣビットが送信電力の増加を指示している限りは、移動局側は無条件で上り制御チャンネルの送信電力を増加させるように制御を実行してしまい、無用に電力を消費する場合が生じてしまうことになる。
【００３６】
通常電池駆動により作動し電源容量が限られている移動局にとっては、電力の消費を極限まで抑制して充電後の連続稼働時間を少しでも長く確保するといったことは最も強い要請の一つである。従って、上述のような無用な電力の消費を抑止することはこの種の移動局について極めて重要な技術課題である。
しかしながら、特許文献１および特許文献２では、このような現実的な技術課題について別段の視点が向けられることがなく、当然ながら、その解決手段についての開示や示唆は皆無である。
本発明はこのような状況に鑑みてなされたものであり、送信ダイバーシチが適用される条件下で移動局における送信電力制御に係る省電力特性を改善することの出来る移動局および移動局における送信電力制御方法を提供することを目的とする。
【課題を解決するための手段】
【００３７】
上記課題を解決するべく、本願では次に列記するような技術を提案する。
即ち、本発明の移動局は、ユーザ間での通信の目的とされる主情報の送信データをＨＳＤＰＡに準拠した通信方式で該当する一の基地局から下りデータチャンネルを通して受信すると共に通信の状態を維持するための関連する事象を表す第１の副情報を前記一の基地局を含む複数の基地局から副情報下りチャンネルを通して受信可能に構成され、且つ、通信の状態を維持するための関連する事象を表す第２の副情報を前記一の基地局を含む複数の基地局に対して副情報上りチャンネルを通して送信可能に構成された移動局であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するためのフィードバック情
報を含む前記第２の副情報を生成して当該基地局側に送信する閉ループ型送信ダイバーシ
チが適用される状況下にあるか否かを判別する通信方法判別部と、
複数の基地局との間で前記副情報下りチャンネルおよび前記副情報上りチャンネルが接
続された状態にあるか否かを判別する通信基地局判別部と、
前記通信方法判別部によって前記閉ループ型送信ダイバーシチが適用される状況下にあ
ると判別されており、且つ、前記通信基地局判別部によって複数の基地局との間で前記副
情報下りチャンネルおよび前記副情報上りチャンネルが接続された状態にあると判別され
ているときには、前記下りデータチャンネルが接続されている当該基地局からの前記第１
の副情報にのみ依拠して前記副情報上りチャンネルの送信電力を制御する送信電力制御部
と、を備えている。
【００３８】
上記の移動局は、ユーザ間での通信の目的とされる例えばパケット化されたデータ等の
主情報の送信データをＨＳＤＰＡに準拠した通信方式で該当する一の基地局からユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、
を含むを通して受信すると共に例えば制御情報等の通信の状態を維持するための関連する事象を表す第１の副情報を前記一の基地局を含む複数の基地局から副情報下りチャンネルを通して受信可能に構成され、且つ、例えば制御情報等の通信の状態を維持するための関連する事象を表す第２の副情報を前記一の基地局を含む複数の基地局に対して副情報上りチャンネルを通して送信可能に構成され、
通信方法判別部によって、基地局側から異なるアンテナを用いて送信された前記第１の
副情報を受信合成して得た合成副情報の状態に応じて該受信に係る品質を維持するために
当該基地局が前記第１の副情報の送信を制御するためのフィードバック情報を含む前記第
２の副情報を生成して当該基地局側に送信する閉ループ型送信ダイバーシチが適用される
状況下にあることが判別され、且つ、通信基地局判別部によって、複数の基地局との間で
前記副情報下りチャンネルおよび前記副情報上りチャンネルが接続された状態にあること
が判別されたときに限って、前記主情報下りデータチャンネルが接続されている当該基地局からの前記第１の副情報にのみ依拠して前記副情報上りチャンネルの送信電力を制御する。
【００３９】
このため、閉ループ型送信ダイバーシチが行なわれ且つ複数の基地局と結ばれていると
判別された場合、即ち、フィードバック情報が送信状態の制御のために有効に用いられる
状況下にある場合に限って、ユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、
を含むが接続されている当該基地局からの第１の副情報にのみ依拠して副情報上りチャンネルの送信電力が制御される。
従って、従来の技術におけるようにユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、
を含むが接続されているときにはフィードバック情報の有効性の如何に依らず一律に当該基地局からの第１の副情報にのみ依拠して副情報上りチャンネルの送信電力を無用に増加させるように制御して徒に電力を消費してしまうといったことが有効に回避され、移動局における省電力特性が改善される。
【００４０】
また、上記の移動局は、前記主情報に該当する送信データをＨＳＤＰＡに準拠した通信
方式で前記下りデータチャンネルを通して受信可能に構成され得る。
移動局がこのように構成されているため、３ＧＰＰで提案されているＨＳＤＰＡに準拠
した通信において、移動局における省電力特性が改善される。
また、上記の移動局は、前記第１の副情報には送信電力制御情報が含まれ、当該第1の
副情報を前記副情報下りチャンネルに該当する下り制御チャンネルを通して受信可能に構成され得る。
【００４１】
移動局がこのように構成された場合には、例えば３ＧＰＰで提案されているＨＳＤＰＡに準拠した通信等において、良好な送信ダイバーシチが行なわれ、且つ、移動局における省電力特性が改善される。
また、上記の移動局は、前記第２の副情報には主情報の位相補正情報が含まれ、当該第２の副情報を前記副情報上りチャンネルに該当する上り制御チャンネルを通して送信可能に構成され得る。
移動局がこのように構成された場合には、例えば３ＧＰＰで提案されているＨＳＤＰＡに準拠した通信等において、制御チャンネルのＦＢＩに基づいて位相調整が適切に実行されて良好な送信ダイバーシチが行なわれ、且つ、移動局における省電力特性が改善される。
【００４２】
一方、本発明の移動局における送信電力制御方法は、ユーザ間での通信の目的とされる主情報の送信データをＨＳＤＰＡに準拠した通信方式で該当する一の基地局からハードハンドオーバにより下りデータチャンネルを通して受信すると共に通信の状態を維持するための関連する事象を表す第１の副情報を前記一の基地局を含む複数の基地局からソフトハンドオーバにより副情報下りチャンネルを通して受信可能であり、且つ、通信の状態を維持するための関連する事象を表す第２の副情報を前記一の基地局を含む複数の基地局に対してソフトハンドオーバにより副情報上りチャンネルを通して送信可能である移動局における送信電力制御方法であって、
特定の一の領域内の移動局との通信を担う基地局側から異なるアンテナを用いて送信さ
れた前記第１の副情報を受信合成して得た合成副情報の状態に応じて該受信に係る品質を
維持するために当該基地局が前記第１の副情報の送信を制御するために依拠するフィード
バック情報を含む前記第２の副情報を生成して当該基地局側に発する閉ループ型送信ダイ
バーシチが適用される状況下にあるか否かを判別する第１ステップと、
前記複数の基地局との間で前記副情報下りチャンネルおよび前記副情報上りチャンネル
が接続された状態にあるか否かを判別する第２ステップと、
前記第１ステップで前記閉ループ型送信ダイバーシチが適用される状況下にあると判別
され、且つ、前記第２ステップで複数の基地局との間で前記副情報下りチャンネルおよび
前記副情報上りチャンネルが接続された状態にあると判別されているときには、前記下りデータチャンネルが接続されている当該基地局からの前記第１の副情報にのみ依拠して前
記副情報上りチャンネルの送信電力を制御する第３ステップと、を含む。
【００４３】
上記の送信電力制御方法では、ユーザ間での通信の目的とされる例えばパケットデータ
等の主情報の送信データをＨＳＤＰＡに準拠した通信方式で該当する一の基地局からハードハンドオーバにより下りデータチャンネルを通して受信すると共に例えば制御情報のような通信の状態を維持するための関連する事象を表す第１の副情報を前記一の基地局を含む複数の基地局からソフトハンドオーバにより副情報下りチャンネルを通して受信可能であり、且つ、例えば制御情報のような通信の状態を維持するための関連する事象を表す第２の副情報を前記一の基地局を含む複数の基地局に対してソフトハンドオーバにより副情報上りチャンネルを通して送信可能である移動局が、
第１ステップで、特定の一の領域内の移動局との通信を担う基地局側から異なるアンテ
ナを用いて送信された前記第１の副情報を受信合成して得た合成副情報の状態に応じて該
受信に係る品質を維持するために当該基地局が前記第１の副情報の送信を制御するために
依拠するフィードバック情報を含む前記第２の副情報を生成して当該基地局側に発する閉
ループ型送信ダイバーシチが適用される状況下にあるか否かを判別し、且つ、
第２ステップで、複数の基地局との間で前記副情報下りチャンネルおよび前記副情報上
りチャンネルが接続された状態にあるか否かを判別し、
前記第１ステップおよび第２ステップでの判別結果が何れも肯定的であるときには、第
３ステップで、前記下りデータチャンネルが接続されている当該基地局からの前記第１の副情報にのみ依拠して前記副情報上りチャンネルの送信電力を制御する。
【００４４】
このため、閉ループ型送信ダイバーシチが行なわれ複数の基地局と結ばれている場合、
即ち、フィードバック情報が送信状態の制御のために有効に用いられる状況下にある場合
に限って、下りデータチャンネルがハードハンドオーバで接続されている当該基地局から
の第１の副情報にのみ依拠して副情報上りチャンネルの送信電力が制御される。
従って、従来の技術におけるように下りデータチャンネルが接続されているときにはフ
ィードバック情報の有効性の如何に依らず一律に当該基地局からの第１の副情報にのみ依
拠しソフトハンドオーバで結ばれた他の基地局からの信号に依らずに副情報上りチャンネ
ルの送信電力を無用に増加させるように制御して徒に電力を消費してしまうといったこと
が有効に回避され、移動局における省電力特性が改善される。
【発明の効果】
【００４５】
本発明によれば、閉ループ型送信ダイバーシチが有効に機能する状態が維持され、且つ、移動局における送信電力制御に係る省電力特性を改善することが出来る。
【発明を実施するための最良の形態】
【００４６】
以下、図面を参照して本発明の実施の形態について詳述することにより本発明を明らかにする。
（本発明の実施の形態としての移動局の構成）
図１は、本発明の実施の形態としての移動局の構成を表す機能ブロック図である。
図１において、移動局１００は、例えばＨＳＤＰＡに準拠した通信方式に適合するものであり、ユーザ間での通信の目的とされる主情報（例えばパケットデータ等）を該当する一の基地局から例えばＨＳ−ＰＤＳＣＨ等であり得る主情報下りチャンネル（下りデータチャンネル）を通して受信すると共に通信の状態を維持するための関連する事象を表す第１の副情報（例えばＤＰＣＨの下りチャンネルの制御情報等）を上述の一の基地局を含む複数の基地局から副情報下りチャンネル（下り制御チャンネル）を通して受信可能に構成され、且つ、通信の状態を維持するための関連する事象を表す情報であり主情報の位相補正情報を含む形態を採り得る第２の副情報（例えばＤＰＣＨの上りチャンネルの制御情報等）を上述の一の基地局を含む複数の基地局に対して副情報上りチャンネル（上り制御チャンネル）を通して送信可能に構成されている限りでは、従来のこの種の移動局と同様の形態を採り得る。
【００４７】
この移動局１００と図示しない上述の各基地局とはアンテナ１０１を通して無線通信を行なう。
アンテナ１０１はＲＦ信号に係る送受信の処理を行なうＲＦ送受信部１０２の内部に備えられたアンテナ共用回路（Duplexer）によって送信および受信について共用される。
ＲＦ送受信部１０２には、それら自体は公知の増幅、周波数変換、復調、変調等の各機能部（何れもＲＦ送受信部１０２内部に構成されるが、各個には図示を省略する）が備えられ、これらの機能部において所定のタイミングで各処理が実行されるように構成されている。
【００４８】
上述の復調機能部からの復調出力はチャネル分離回路（ＲＦ送受信部１０２内部に構成されている）によりユーザ間での通信の目的とされる主情報としての例えばパケットデータ等のユーザ情報と通信の状態を維持するための関連する事象を表す副情報（第１の副情報に該当するものであり、既述のＤＰＣＨの下りチャンネルを通して伝送される）としての各種制御情報とに分離される。
【００４９】
第１の副情報は通信方法判別部１０３および通信基地局判別部１０４にそれぞれ供給される。
通信方法判別部１０３は、特定の一の領域内の移動局との通信を担う基地局側から異なるアンテナを用いて送信された第１の副情報を受信合成して得た合成副情報の状態に応じて該受信に係る品質を維持するために当該基地局が第１の副情報の送信を制御するためのフィードバック情報を含む第２の副情報を生成して当該基地局側に送信する（例えばＤＰＣＨの上りチャンネルを通して伝送する）閉ループ型送信ダイバーシチが適用される状況下にあるか否かを判別する。
【００５０】
また、通信基地局判別部１０４は、通信方法判別部１０３によって上述の閉ループ型送信ダイバーシチが適用される状況下にあると判別されているときに、複数の基地局との間で副情報下りチャンネルおよび副情報上りチャンネルが接続された状態にあるか否かを判別する。この判別は、例えば、上述のような接続が持たれている基地局の数を計数した結果に基づいて行なわれる。
【００５１】
通信方法判別部１０３および通信基地局判別部１０４における各判別結果を表す出力データが送信電力制御信号受信判別部１０５に供給される。
送信電力制御信号受信判別部１０５では、通信基地局判別部１０４の出力データから認識される接続先の基地局の数に応じて、各個の基地局からの制御信号を識別し、該当する基地局毎の送信電力制御信号（例えば、既述のＴＰＣビットの形態を採る信号）を受信する。
【００５２】
更に、通信方法判別部１０３の出力データに基づいて、現在時点で閉ループ型送信ダイバーシチが適用される状況下にあると判別され、且つ、通信基地局判別部１０４の出力データに基づいて複数の基地局と接続されていると認識されたときには、主情報を伝送する主情報下りチャンネルで結ばれた一の基地局であるデータ送信基地局（メインブランチ）から送信される送信電力制御信号（例えば、ＴＰＣビット）のみを上り副情報チャンネルの送信電力制御を行なう際に依拠すべき制御指令として判別し、該判別結果に合致する送信電力制御信号を送信電力決定部１０６に供給する。
【００５３】
送信電力決定部１０６は送信電力制御信号受信判別部１０５から供給された送信電力制御信号に基づいて上り副情報チャンネルの送信電力の値を割り出す。
該割り出された結果がＲＦ送受信部１０２に供給され、上り副情報チャンネルの送信電力制御における目標値としてＲＦ送受信部１０２での送信電力の調節動作が実行される。
本例での移動局１００では、ＲＦ送受信部１０２、通信方法判別部１０３、通信基地局判別部１０４、送信電力制御信号受信判別部１０５、および、送信電力決定部１０６を含む系全体を統括的に管理するシステムコントローラ１０７が設けられている。
【００５４】
システムコントローラ１０７は、操作ボタン等を含む操作部（不図示）からユーザの操作を受付けて、通信に関する各所要の動作を実行すると共に、ＲＦ送受信部１０２で復調された受信情報をユーザに表示ないし音声出力し、また、送信する情報をＲＦ送受信部１０２に供給する。
上述における通信に関する各所要の動作として、ＲＦ送受信部１０２、通信方法判別部１０３、通信基地局判別部１０４、送信電力制御信号受信判別部１０５、および、送信電力決定部１０６における処理の進捗の監視と制御（相互の作動タイミングの調整等を含む）等が含まれる。
【００５５】
フローチャートを参照して後述する移動局１００における送信電力制御の作動シーケンスも、このシステムコントローラ１０７による統括的な管理下で逐次実行される。
尚、通信基地局判別部１０４によって複数の基地局との間で副情報下りチャンネルおよび副情報上りチャンネルが接続された状態にあると判別されているときには主情報下りチャンネルが接続されている当該基地局からの第１の副情報にのみ依拠して副情報上りチャンネルの送信電力を制御する送信電力制御部が、送信電力制御信号受信判別部１０５、送信電力決定部１０６、および、ＲＦ送受信部１０２の該当部、ならびに、システムコントローラ１０７の該当する機能部を含んで構成される。
【００５６】
（本発明の実施の形態としての移動局における送信電力制御動作）
図２は、図１の移動局における送信電力制御動作を表すフローチャートである。
先ず、通信方法判別部１０３によって、特定の一の領域内の移動局との通信を担う基地局側から異なるアンテナを用いて送信された第１の副情報を受信合成して得た合成副情報の状態に応じて該受信に係る品質を維持するために当該基地局が第１の副情報の送信を制御するためのフィードバック情報を含む第２の副情報を生成して当該基地局側に送信する（例えばＤＰＣＨの上りチャンネルを通して伝送する）閉ループ型送信ダイバーシチが適用される状況下にあるか否かを判別する（ステップＳ２０１）。
【００５７】
ステップＳ２０１で上述の閉ループ型送信ダイバーシチが適用される状況下にあると判別されたときには（ステップＳ２０１：Ｙｅｓ）、通信基地局判別部１０４によって、複数の基地局との間で副情報下りチャンネルおよび副情報上りチャンネルが接続された状態にあるか否かを判別する（ステップＳ２０２）。
ステップＳ２０２で複数の基地局との間で副情報下りチャンネルおよび副情報上りチャンネルが接続された状態にあると判別されたときには（ステップＳ２０２：Ｙｅｓ）、送信電力制御信号受信判別部１０５によって、主情報を伝送する主情報下りチャンネルで結ばれた一の基地局であるデータ送信基地局（メインブランチ）から送信される送信電力制御信号（例えば、ＴＰＣビット）のみを上り副情報チャンネルの送信電力制御を行なう際に依拠すべき制御指令として判別する（ステップＳ２０３）。
【００５８】
ステップＳ２０３で上述のように判別された送信電力制御信号が、送信電力決定部１０６に、上り副情報チャンネルの送信電力の値を割り出すための信号として供給され、送信電力決定部１０６はこのようにして供給された送信電力制御信号に基づいて上り副情報チャンネルの送信電力の値を割り出し、この送信電力の値がＲＦ送受信部１０２での送信電力の調節動作に供される。（ステップＳ２０４）。
【００５９】
尚、ステップＳ２０１で上述の閉ループ型送信ダイバーシチが適用される状況下にないと判別されたとき（ステップＳ２０１：Ｎｏ）、および、ステップＳ２０２で複数の基地局との間で副情報下りチャンネルおよび副情報上りチャンネルが接続された状態にはないと判別されたときには（ステップＳ２０２：Ｎｏ）、上述したような閉ループ型送信ダイバーシチは行なわれない状況にあり、通常のこの種の通信システムにおけるような公知の態様の送信電力制御が継続される。
【００６０】
以上、図２を参照して説明した送信電力制御動作において、ステップＳ２０１とステップＳ２０２とは、これらを実行する順序を入れ替えても、それらの後段での処理を行なうについて全く支障がない。この例を次に変形例として示す。
図３は、図２に係る変形例を表すフローチャートである。
先ず、通信基地局判別部１０４によって、複数の基地局との間で副情報下りチャンネルおよび副情報上りチャンネルが接続された状態にあるか否かを判別する（ステップＳ３０１）。
【００６１】
ステップＳ３０１で複数の基地局との間で副情報下りチャンネルおよび副情報上りチャンネルが接続された状態にあると判別されたときには（ステップＳ３０１：Ｙｅｓ）、次いで、通信方法判別部１０３によって、特定の一の領域内の移動局との通信を担う基地局側から異なるアンテナを用いて送信された第１の副情報を受信合成して得た合成副情報の状態に応じて該受信に係る品質を維持するために当該基地局が第１の副情報の送信を制御するためのフィードバック情報を含む第２の副情報を生成して当該基地局側に送信する（例えばＤＰＣＨの上りチャンネルを通して伝送する）閉ループ型送信ダイバーシチが適用される状況下にあるか否かを判別する（ステップＳ３０２）。
【００６２】
ステップＳ３０２で、上述の閉ループ型送信ダイバーシチが適用される状況下にあると判別されたときには（ステップＳ３０２：Ｙｅｓ）、送信電力制御信号受信判別部１０５によって、主情報を伝送する主情報下りチャンネルで結ばれた一の基地局であるデータ送信基地局（メインブランチ）から送信される送信電力制御信号（例えば、ＴＰＣビット）のみを上り副情報チャンネルの送信電力制御を行なう際に依拠すべき制御指令として判別する（ステップＳ３０３）。
【００６３】
ステップＳ３０３で上述のように判別された送信電力制御信号が、送信電力決定部１０６に、上り副情報チャンネルの送信電力の値を割り出すための信号として供給され、送信電力決定部１０６はこのようにして供給された送信電力制御信号に基づいて上り副情報チャンネルの送信電力の値を割り出し、この送信電力の値がＲＦ送受信部１０２での送信電力の調節動作に供される（ステップＳ３０４）。
【００６４】
尚、ステップＳ３０１で複数の基地局との間で副情報下りチャンネルおよび副情報上りチャンネルが接続された状態にはないと判別されたとき（ステップＳ３０１：Ｎｏ）、および、ステップＳ３０２で上述の閉ループ型送信ダイバーシチが適用される状況下にないと判別されたときには（ステップＳ３０２：Ｎｏ）、上述したような閉ループ型送信ダイバーシチが行なわれない状況にあり、通常のこの種の通信システムにおけるような公知の態様の送信電力制御が継続される。
【００６５】
以上、図１、図２および図３を参照して説明した移動局における送信電力制御は３ＧＰＰで提案されているＨＳＤＰＡにおけるように共通チャンネルを用いてデータの転送を行なう通信に適用して有効である。
この場合、ユーザ間での通信の目的とされる主情報（パケットデータ等）は該当する一の基地局からハードハンドオーバにより主情報下りチャンネルを通して移動局に伝送され、上述の第１の副情報および第２の副情報は、前記一の基地局を含む複数の基地局との間で副情報下りチャンネルおよび副情報上りチャンネルを通してソフトハンドオーバにより授受される。
【００６６】
（本発明の実施の形態としての移動局における送信電力の増加および減少）
図４および図５は、図１、図２および図３を参照して説明した移動局における送信電力制御の様子（例えばＨＳＤＰＡによりパケットデータ等の主情報を伝送する場合）を表す概念図である。
図４および図５において、図９および図１０との対応部は同一の参照符号を付してある。
既述のように、ＨＳＤＰＡでは、基地局２１０、２２０から移動局１００への情報（データ）の伝送に用いる下りチャンネルとして高速下り共用チャネル３１（ＨＳ−ＰＤＳＣＨ）が使用される。
【００６７】
基地局２１０、２２０は複数の移動局１００（図４および図５では、説明の便宜上１基のみ図示）の各々に対するデータ送信を行うスケジュールを決定して、移動局１００毎にタイミングを異にするようにしてデータを転送する。
ＨＳＤＰＡでは、各基地局２１０、２２０は、複数の移動局１００の各々との間に、個別チャンネルである既述のＤＰＣＨを設定する。
ＤＰＣＨは、その下りチャンネル２１，２２により基地局２１０、２２０から移動局１００へ制御情報を送信すると共に、上りチャンネル１１、１２により移動局１００から基地局２１０、２２０へ制御信号（ＴＰＣおよびＦＢＩ）を送信する。
【００６８】
図４の状態では、データの転送については、高速下り共用チャネル３１を用いて一つの基地局２１０からハードハンドオーバで送信され、他方、制御信号については、複数の基地局２１０、２２０とＤＰＣＨ（その下りチャンネル２１、２２、および、上りチャンネル１１、１２）を用いてソフトハンドオーバで授受される。
基地局２１０からＤＰＣＨの下りチャンネル２１を通して送信電力の増加を指示するＴＰＣビット（ｕｐ）が送られ、同時に、基地局２２０からＤＰＣＨの下りチャンネル２２を通して送信電力の減少を指示するＴＰＣビット（ｄｏｗｎ）が送られてきた場合を仮定する。
【００６９】
この場合に、本実施の形態の移動局１００では、基地局２１０と閉ループ型送信ダイバーシチが適用される状況下にあり且つ複数の基地局２１０、２２０と結ばれていると認識されたときには、図１０（ｂ）に示された従来の装置におけるように基地局２２０（図示の場合におけるサブブランチ）からの送信電力の減少を指示するＴＰＣビット（ｄｏｗｎ）に優先的に従うことなく、移動局２１０（図示の場合におけるメインブランチ）からの送信電力の増加を指示するＴＰＣビット（ｕｐ）に従ってＤＰＣＨの上りチャンネル１１の送信電力を増加させるように送信電力制御を実行する。
従って、メインブランチに関するＤＰＣＨの上りチャンネルの送信電力を適切に制御することによってフィードバック情報の伝送におけるエラーの発生を低減させ主情報の伝送に係るスループットが高水準に維持される。
【００７０】
（本発明の実施の形態としての移動局に関する従来例との比較における特質）
本実施の形態の移動局では、特に、メインブランチからの主情報のデータを受けるときに、一律に、このメインブランチからの下り制御チャンネルによるＴＰＣビットにのみ従って送信電力制御を行なうことはせず、閉ループ型送信ダイバーシチが行なわれる状況にあることが現実に検出され且つ複数の基地局と上述のように結ばれた状況にあると判別された場合に限って、メインブランチからの下り制御チャンネルによるＴＰＣビットにのみ従って送信電力制御を行なう。
【００７１】
既述のように、屋内や駅の構内等々必ずしも閉ループ型送信ダイバーシチを行なうように構成されていない型式のものを含む種々の基地局が設備されている昨今の現実の状況において、フィードバック情報が送信状態の制御のために有効に用いられる状況下にある場合に限って、主情報下りチャンネルが（例えばハードハンドオーバで）接続されている当該基地局からの第１の副情報たるＴＰＣビットにのみ依拠してフィードバック情報を伝送する副情報上りチャンネルの送信電力が制御される。
【００７２】
従って、従来の技術におけるように主情報下りチャンネルが接続されているときにはフィードバック情報の有効性の如何に依らず一律に当該基地局からの第１の副情報にのみ依拠しソフトハンドオーバで結ばれた他の基地局からの信号に依らずに副情報上りチャンネルの送信電力を無用に増加させるように制御してしまうために徒に電力を消費してしまうといった憂いが有効に回避され、移動局における省電力特性が改善される。
【００７３】
図５の状態は、データの転送ついては、高速下り共用チャネル３１を用いて一つの基地局２１０からハードハンドオーバで送信され、他方、制御信号については、複数の基地局２１０、２２０とＤＰＣＨ（その下りチャンネル２１，２２、および、上りチャンネル１１，１２）を用いてソフトハンドオーバで授受される点は既述の図４の場合と同様である。
しかし図５では図４の場合と異なり、基地局２１０からＤＰＣＨの下りチャンネル２１を通して送信電力の減少を指示するＴＰＣビット（ｄｏｗｎ）が送られ、同時に、基地局２２０からＤＰＣＨの下りチャンネル２２を通して送信電力の増加または減少の何れかを指示するＴＰＣビット（ｕｐ  ｏｒ  ｄｏｗｎ）が送られてきた場合を仮定している。
【００７４】
図５の場合においては、基地局２２０（図示の場合におけるサブブランチ）からのＴＰＣビットが送信電力の増加または減少の何れを指示するものであっても（ｕｐ  ｏｒ  ｄｏｗｎ）、これの影響を被ることなく、基地局２１０（図示の場合におけるメインブランチ）からの送信電力の減少を指示するＴＰＣビット（ｄｏｗｎ）に従ってＤＰＣＨの上りチャンネル１１の送信電力を減少させるように送信電力制御を実行する。
従って、閉ループ型送信ダイバーシチが有効に機能する限りにおいてフィードバック情報が所要の範囲内の送信電力で送信されるように制御され、過剰な電力消費の発生が有効に回避されることになる。
【００７５】
（本発明の実施の形態としての移動局における送信電力制御方法）
以上説明した本発明の技術思想は、ユーザ間での通信の目的とされる主情報を該当する一の基地局（２１０）からハードハンドオーバにより主情報下りチャンネル（３１）を通して受信すると共に通信の状態を維持するための関連する事象を表す第１の副情報（ＴＰＣ）を前記一の基地局を含む複数の基地局（２１０，２２０）からソフトハンドオーバにより副情報下りチャンネル（２１，２２）を通して受信可能であり、且つ、通信の状態を維持するための関連する事象を表す第２の副情報（ＴＰＣ，ＦＢＩ）を前記一の基地局（２１０）を含む複数の基地局（２１０，２２０）に対してソフトハンドオーバにより副情報上りチャンネル（１１，１２）を通して送信可能である移動局（１００）における送信電力制御方法であって、
特定の一の領域内の移動局（１００）との通信を担う基地局（２１０）側から異なるアンテナを用いて送信された前記第１の副情報を受信合成して得た合成副情報の状態に応じて該受信に係る品質を維持するために当該基地局（２１０）が前記第１の副情報の送信を制御するために依拠するフィードバック情報（ＦＢＩ）を含む前記第２の副情報を生成して当該基地局（２１０）側に発する（１１）閉ループ型送信ダイバーシチが適用される状況下にあるか否かを判別する第１ステップ（ステップＳ２０１またはステップＳ３０２）と、
前記複数の基地局（２１０，２２０）との間で前記副情報下りチャンネル（２１，２２）および前記副情報上りチャンネル（１１，１２）が接続された状態にあるか否かを判別する第２ステップ（ステップＳ２０２またはステップＳ３０１）と、
前記第１ステップ（ステップＳ２０１またはステップＳ３０２）で前記閉ループ型送信ダイバーシチが適用される状況下にあると判別され（ステップＳ２０１：Ｙｅｓ、ステップＳ３０２：Ｙｅｓ）、且つ、前記第２ステップ（ステップＳ２０２またはステップＳ３０１）で複数の基地局との間で前記副情報下りチャンネルおよび前記副情報上りチャンネルが接続された状態にあると判別されているときには（ステップＳ２０２：Ｙｅｓ、ステップＳ３０１：Ｙｅｓ）、前記主情報下りチャンネル（３１）が接続されている当該基地局（２１０）からの前記第１の副情報（２１：ＴＰＣ）にのみ依拠して前記副情報上りチャンネル（１１）の送信電力を制御する第３ステップと（ステップＳ２０３＋ステップＳ２０４、ステップＳ３０３＋ステップＳ３０４）、
を含む送信電力制御方法としても要約される。
【００７６】
この送信電力制御方法では、ユーザ間での通信の目的とされる例えばパケットデータ等の主情報を該当する一の基地局（２１０）からハードハンドオーバにより主情報下りチャンネル（２１）を通して受信すると共に例えば制御情報のような通信の状態を維持するための関連する事象を表す第１の副情報（ＴＰＣ）を前記一の基地局（２１０）を含む複数の基地局（２１０，２２０）からソフトハンドオーバにより副情報下りチャンネル（２１，２２）を通して受信可能であり、且つ、例えば制御情報（ＴＰＣ，ＦＢＩ）の様な通信の状態を維持するための関連する事象を表す第２の副情報を前記一の基地局（２１０）を含む複数の基地局（２１０，２２０）に対してソフトハンドオーバにより副情報上りチャンネル（１１，１２）を通して送信可能である移動局（１００）が、
第１ステップ（ステップＳ２０１またはステップＳ３０２）で、特定の一の領域内の移動局（１００）との通信を担う基地局（２１０）側から異なるアンテナを用いて送信された前記第１の副情報を受信合成して得た合成副情報の状態に応じて該受信に係る品質を維持するために当該基地局（２１０）が前記第１の副情報の送信を制御するために依拠するフィードバック情報（ＦＢＩ）を含む前記第２の副情報を生成して当該基地局（２１０）側に発する閉ループ型送信ダイバーシチが適用される状況下にあると判別し、且つ、
第２ステップ（ステップＳ２０２またはステップＳ３０１）で、複数の基地局（２１０，２２０）との間で前記副情報下りチャンネル（２１，２２）および前記副情報上りチャンネル（１１，１２）が接続された状態にあると判別したときには、
第３ステップ（ステップＳ２０３＋ステップＳ２０４、ステップＳ３０３＋ステップＳ３０４）で、前記主情報下りチャンネル（３１）が接続されている当該基地局（２１０）からの前記第１の副情報（ＴＰＣ）にのみ依拠して前記副情報上りチャンネルの送信電力を制御する。
【００７７】
このため、閉ループ型送信ダイバーシチが行なわれ複数の基地局（２１０，２２０）と結ばれている場合、即ち、フィードバック情報が送信状態の制御のために有効に用いられる状況下にある場合に限って、主情報下りチャンネル（３１）がハードハンドオーバで接続されている当該基地局（２１０）からの第１の副情報（ＴＰＣ）にのみ依拠して副情報上りチャンネル（１１）の送信電力が制御される。
【００７８】
従って、従来の技術におけるように主情報下りチャンネル（３１）が接続されているときにはフィードバック情報の有効性の如何に依らず一律に当該基地局（２１０）からの第１の副情報（ＴＰＣ）にのみ依拠しソフトハンドオーバで結ばれた他の基地局（２２０）からの信号に依らずに副情報上りチャンネル（１１）の送信電力を無用に増加させるように制御して徒に電力を消費してしまうといったことが有効に回避され、移動局における省電力特性が改善される。
【００７９】
（まとめ）
このような移動局における省電力特性を改善する技術は、通常電池駆動により作動し電源容量が限られている移動局における電力の消費を極限まで抑制して充電後の連続稼働時間を少しでも長く確保したいといった最も強い要請に応え得る一つの方途を開くものである。
尚、以上説明した本発明の移動局および移動局における送信電力制御方法に係る技術は、所謂短距離無線通信のシステム乃至はこのシステムを構成する要素となる各通信装置にも適用することが可能である。
【産業上の利用可能性】
【００８０】
本発明は、基地局側の複数のアンテナから送信した信号を、受信端末（移動局）で受信し合成する送信ダイバーシチ技術におけるクローズド型送信ダイバーシチでの基地局における省電力化技術の実現に利用することができる。
【図面の簡単な説明】
【００８１】
【図１】本発明の実施の形態としての移動局の構成を表す機能ブロック図である。
【図２】図１の移動局における送信電力制御動作を表すフローチャートである。
【図３】図２に係る変形例を表すフローチャートである。
【図４】図１、図２および図３を参照して説明した移動局における送信電力制御の一つの場合の様子を表す概念図である。
【図５】図１、図２および図３を参照して説明した移動局における送信電力制御の他の場合の様子を表す概念図である。
【図６】移動局からのフィードバック情報を用いない開ループ型送信ダイバーシチを採用する場合の位相の状態について説明するための概念図である。
【図７】移動局から送信されるフィードバック情報に基づいて送信信号の位相等を制御する閉ループ型送信ダイバーシチを採用する場合の位相の状態について説明するための概念図である。
【図８】従来の個別チャンネルを用いた通信の様子を表す概念図である。
【図９】共通チャンネルを用いてデータの転送を行なう通信の様子を表す概念図である。
【図１０】ＨＳＤＰＡにおける高速閉ループ型の送信電力制御の様子を表す概念図である。
【図１１】フィードバック情報に誤りがある状況下での送信ダイバーシチの様子を表す概念図である。
【符号の説明】
【００８２】
１１，１２…上り制御チャンネル
２１，２２…下り制御チャンネル
３１，３２…下りデータチャンネル
１００…移動局
１０１…アンテナ
１０２…ＲＦ送受信部
１０３…通信方法判別部
１０４…通信基地局判別部
１０５…送信電力制御信号受信判別部
１０６…送信電力決定部
１０７…システムコントローラ
【図１】
0004485547.tif 000002
【図２】
0004485547.tif 000003
【図３】
0004485547.tif 000004
【図４】
0004485547.tif 000005
【図５】
0004485547.tif 000006
【図６】
0004485547.tif 000007
【図７】
0004485547.tif 000008
【図８】
0004485547.tif 000009
【図９】
0004485547.tif 000010
【図１０】
0004485547.tif 000011
【図１１】
0004485547.tif 000012